(57)【要約】【課題】紙詰まりした用紙を破断させることなく容易に除去できる給紙用紙さばき装置を提供することである。【解決手段】同軸の固定軸１３上に配設した第１と第２の出力部材１１、１２に対向させて設けた傘歯車１１ａ、１１ｂの間に噛み合わせた遊星傘歯車１４を、固定軸１３の回りに旋回可能な直交軸部材１５に設けられた軸部１５ａに支持し、出力部材１２に内嵌して直交軸部材１５に連結された中間軸１６と出力部材１２との連結を入切するクラッチ手段と、このクラッチ手段の連結が切られたときに、中間軸１６の回転を止めるブレーキ手段とを設けて、各出力部材１１、１２の回転力をそれぞれ給紙ローラ１とリタードローラ２に伝達することにより、紙詰まりが生じたときに、クラッチ手段の連結を切として、リタードローラ２が給紙ローラ１と逆方向に回転するようにし、紙詰まりした用紙を破断させることなく容易に除去できるようにした。【選択図】図１
2008007316.tif 000002
【特許請求の範囲】
【請求項１】
供給される用紙を送給方向に給紙する給紙ローラと、供給される用紙を１枚ずつに紙さばきするリタードローラとを対向させて配設して、前記給紙ローラを用紙の送給方向へ回転駆動し、前記リタードローラを用紙の戻し方向へ給紙ローラと同方向にトルクリミッタを介して回転駆動し、これらの給紙ローラとリタードローラの間に噛み込まれた用紙が１枚となったときに、前記トルクリミッタが作用して、前記リタードローラが用紙の送給方向に従動回転する給紙用紙さばき装置において、前記給紙ローラとリタードローラを回転駆動する共通の回転駆動源を設け、この共通の回転駆動源から回転力が入力される第１の出力部材と別途の第２の出力部材とを、同軸の固定軸の回りに回転するように配設して、これらの第１と第２の出力部材とに互いに対向する傘歯車を設け、これらの対向する傘歯車の間に少なくとも１つの遊星傘歯車を噛み合わせて、この遊星傘歯車を前記固定軸の回りに旋回可能な直交軸部材に設けられた固定軸と直交する軸部に回転自在に支持し、この直交軸部材に、前記第２の出力部材に内嵌され、前記固定軸に外嵌された回転可能な中間軸を連結し、この中間軸と前記第２の出力部材との連結を入切するクラッチ手段と、このクラッチ手段で前記中間軸と第２の出力部材の連結が切られたときに、中間軸の回転を止めるブレーキ手段とを設けて、前記クラッチ手段の連結が入とされたときに、前記第２の出力部材を前記第１の出力部材と同方向に回転させ、前記クラッチ手段の連結が切とされたときに、前記第２の出力部材を前記第１の出力部材と逆方向に回転させるようにし、前記第１の出力部材の回転力を前記給紙ローラに伝達し、前記第２の出力部材の回転力を前記リタードローラに伝達して、前記給紙ローラとリタードローラの間で紙詰まりが生じたときに、前記クラッチ手段の連結を切として、前記リタードローラを前記給紙ローラと逆方向に回転させるようにしたことを特徴とする給紙用紙さばき装置。
【請求項２】
前記クラッチ手段が、前記第２の出力部材と前記中間軸とに、互いに軸方向で隣接し、外径寸法が等しい等径部を設けて、これらの等径部の外径面にセレーションを形成し、これらのセレーションと係合するセレーションを内径面に形成した連結リングを、これらの等径部にスライド可能に外嵌し、この連結リングをスライドさせて、そのセレーションをいずれか一方の等径部のセレーションと係脱し、前記第２の出力部材と中間軸の連結を入切するものである請求項１に記載の給紙用紙さばき装置。
【請求項３】
前記ブレーキ手段が、前記中間軸の等径部の外径面に軸方向へ延びる凹溝を形成し、この凹溝に爪を差し込んで前記中間軸の回転を止めるものである請求項２に記載の給紙用紙さばき装置。
【請求項４】
前記第１および第２の出力部材の回転力を、これらの外径面に設けた平歯車を介して伝達するようにした請求項１乃至３のいずれかに記載の給紙用紙さばき装置。
【発明の詳細な説明】
【技術分野】
【０００１】
本発明は、給紙用紙さばき装置に関する。
【背景技術】
【０００２】
複写機やプリンタ等に組み込まれ、給紙トレイから供給される用紙を１枚ずつ印刷装置等に給紙する給紙用紙さばき装置には、供給される用紙を送給方向に給紙する給紙ローラと、供給される用紙を１枚ずつに紙さばきするリタードローラとを対向させて配設して、給紙ローラを用紙の送給方向へ回転駆動し、リタードローラを用紙の戻し方向へ給紙ローラと同方向にトルクリミッタを介して回転駆動し、これらの給紙ローラとリタードローラの間に噛み込まれた用紙が１枚となったときに、トルクリミッタを作用させ、リタードローラを用紙の送給方向に従動回転させるようにしたものがある（例えば、特許文献１参照）。
【０００３】
特許文献１に記載されたものでは、給紙ローラとリタードローラとを別々または共通の駆動モータに伝動ギヤ装置で連結して、リタードローラへの伝動経路にトルクリミッタを介在させることにより、給紙ローラを用紙の送給方向へ回転駆動するとともに、リタードローラを用紙の戻し方向へ給紙ローラと同方向に回転駆動し、これらの給紙ローラとリタードローラの間に噛み込まれた用紙が１枚となって、リタードローラと用紙間の摩擦トルクが大きくなったときに、トルクリミッタを作用させて、リタードローラを用紙の送給方向に従動回転させるようにしている。
【０００４】
【特許文献１】特開平７−２０６１９７号公報
【発明の開示】
【発明が解決しようとする課題】
【０００５】
特許文献１に記載されたような従来の給紙用紙さばき装置では、給紙ローラとリタードローラの間で紙詰まりが生じたときに、回転駆動源としての駆動モータを停止し、ニップ圧が掛かった状態の紙詰まりした用紙を、用紙の送給方向または戻し方向に引き抜いて除去している。上述したように、リタードローラはトルクリミッタを介して給紙ローラと同方向に回転するように連結されているので、用紙をいずれかの方向に引き抜こうとすると、リタードローラは、トルクリミッタが作用するまでは給紙ローラと同方向に回転しようとして、用紙の引き抜きに対する抵抗となる。このため、トルクリミッタの設定トルク以上の大きな引き抜き力で用紙を引き抜く必要があり、用紙が大きな引き抜き力で破断しやすくなって、紙詰まりした用紙の除去に手間がかかる問題がある。
【０００６】
そこで、本発明の課題は、紙詰まりした用紙を破断させることなく容易に除去できる給紙用紙さばき装置を提供することである。
【課題を解決するための手段】
【０００７】
上記の課題を解決するために、本発明は、供給される用紙を送給方向に給紙する給紙ローラと、供給される用紙を１枚ずつに紙さばきするリタードローラとを対向させて配設して、前記給紙ローラを用紙の送給方向へ回転駆動し、前記リタードローラを用紙の戻し方向へ給紙ローラと同方向にトルクリミッタを介して回転駆動し、これらの給紙ローラとリタードローラの間に噛み込まれた用紙が１枚となったときに、前記トルクリミッタが作用して、前記リタードローラが用紙の送給方向に従動回転する給紙用紙さばき装置において、前記給紙ローラとリタードローラを回転駆動する共通の回転駆動源を設け、この共通の回転駆動源から回転力が入力される第１の出力部材と別途の第２の出力部材とを、同軸の固定軸の回りに回転するように配設して、これらの第１と第２の出力部材とに互いに対向する傘歯車を設け、これらの対向する傘歯車の間に少なくとも１つの遊星傘歯車を噛み合わせて、この遊星傘歯車を前記固定軸の回りに旋回可能な直交軸部材に設けられた固定軸と直交する軸部に回転自在に支持し、この直交軸部材に、前記第２の出力部材に内嵌され、前記固定軸に外嵌された回転可能な中間軸を連結し、この中間軸と前記第２の出力部材との連結を入切するクラッチ手段と、このクラッチ手段で前記中間軸と第２の出力部材の連結が切られたときに、中間軸の回転を止めるブレーキ手段とを設けて、前記クラッチ手段の連結が入とされたときに、前記第２の出力部材を前記第１の出力部材と同方向に回転させ、前記クラッチ手段の連結が切とされたときに、前記第２の出力部材を前記第１の出力部材と逆方向に回転させるようにし、前記第１の出力部材の回転力を前記給紙ローラに伝達し、前記第２の出力部材の回転力を前記リタードローラに伝達して、前記給紙ローラとリタードローラの間で紙詰まりが生じたときに、前記クラッチ手段の連結を切として、前記リタードローラを前記給紙ローラと逆方向に回転させる構成を採用した。
【０００８】
すなわち、給紙ローラとリタードローラを回転駆動する共通の回転駆動源から回転力が入力される第１の出力部材と別途の第２の出力部材とを、同軸の固定軸の回りに回転するように配設して、これらの第１と第２の出力部材とに互いに対向する傘歯車を設け、これらの対向する傘歯車の間に少なくとも１つの遊星傘歯車を噛み合わせて、この遊星傘歯車を固定軸の回りに旋回可能な直交軸部材に設けられた固定軸と直交する軸部に回転自在に支持し、この直交軸部材に、第２の出力部材に内嵌され、固定軸に外嵌された回転可能な中間軸を連結し、この中間軸と第２の出力部材との連結を入切するクラッチ手段と、このクラッチ手段で中間軸と第２の出力部材の連結が切られたときに、中間軸の回転を止めるブレーキ手段とを設けて、クラッチ手段の連結が入とされたときに、第２の出力部材を第１の出力部材と同方向に回転させ、クラッチ手段の連結が切とされたときに、第２の出力部材を前記第１の出力部材と逆方向に回転させるようにし、第１の出力部材の回転力を給紙ローラに伝達し、第２の出力部材の回転力をリタードローラに伝達して、給紙ローラとリタードローラの間で紙詰まりが生じたときに、クラッチ手段の連結を切として、リタードローラを給紙ローラと逆方向に回転させるようにすることにより、紙詰まりした用紙を引き抜くときに、リタードローラが引き抜き抵抗とならないようにし、紙詰まりした用紙を破断させることなく小さな引抜力で容易に除去できるようにした。
【０００９】
前記クラッチ手段を、前記第２の出力部材と前記中間軸とに、互いに軸方向で隣接し、外径寸法が等しい等径部を設けて、これらの等径部の外径面にセレーションを形成し、これらのセレーションと係合するセレーションを内径面に形成した連結リングを、これらの等径部にスライド可能に外嵌し、この連結リングをスライドさせて、そのセレーションをいずれか一方の等径部のセレーションと係脱し、前記第２の出力部材と中間軸の連結を入切するものとすることにより、簡単な構成でクラッチ手段を入切することができる。
【００１０】
前記ブレーキ手段を、前記中間軸の等径部の外径面に軸方向へ延びる凹溝を形成し、この凹溝に爪を差し込んで前記中間軸の回転を止めるものとすることにより、簡単な構成で中間軸の回転を止めることができる。
【００１１】
前記第１および第２の出力部材の回転力を、これらの外径面に設けた平歯車を介して伝達することにより、コンパクトなスペースで各出力部材の回転力を伝達することができる。
【発明の効果】
【００１２】
本発明の給紙用紙さばき装置は、給紙ローラとリタードローラを回転駆動する共通の回転駆動源から回転力が入力される第１の出力部材と別途の第２の出力部材とを、同軸の固定軸の回りに回転するように配設して、これらの第１と第２の出力部材とに互いに対向する傘歯車を設け、これらの対向する傘歯車の間に少なくとも１つの遊星傘歯車を噛み合わせて、この遊星傘歯車を固定軸の回りに旋回可能な直交軸部材に設けられた固定軸と直交する軸部に回転自在に支持し、この直交軸部材に、第２の出力部材に内嵌され、固定軸に外嵌された回転可能な中間軸を連結し、この中間軸と第２の出力部材との連結を入切するクラッチ手段と、このクラッチ手段で中間軸と第２の出力部材の連結が切られたときに、中間軸の回転を止めるブレーキ手段とを設けて、クラッチ手段の連結が入とされたときに、第２の出力部材を第１の出力部材と同方向に回転させ、クラッチ手段の連結が切とされたときに、第２の出力部材を前記第１の出力部材と逆方向に回転させるようにし、第１の出力部材の回転力を給紙ローラに伝達し、第２の出力部材の回転力をリタードローラに伝達して、給紙ローラとリタードローラの間で紙詰まりが生じたときに、クラッチ手段の連結を切として、リタードローラを給紙ローラと逆方向に回転させるようにしたので、紙詰まりした用紙を引き抜くときに、リタードローラが引き抜き抵抗とならず、紙詰まりした用紙を破断させることなく小さな引抜力で容易に除去することができる。
【発明を実施するための最良の形態】
【００１３】
以下、図面に基づき、本発明の実施形態を説明する。この給紙用紙さばき装置は、図１および図２に示すように、供給される用紙Ａを送給方向に給紙する給紙ローラ１と、供給される用紙Ａを１枚ずつに紙さばきするリタードローラ２とが対向するように配設され、これらの回転軸１ａ、２ａが共通の回転駆動源としての駆動モータ３で、後述する逆転機構を介して回転駆動されるようになっている。リタードローラ２の回転軸２ａにはトルクリミッタ４が取り付けられている。
【００１４】
前記用紙Ａを紙さばきしながら給紙する定常状態では、図２（ａ）に示すように、給紙ローラ１が用紙Ａの送給方向へ回転駆動されるとともに、リタードローラ２が用紙Ａの戻し方向へ給紙ローラ１と同方向に回転駆動され、図２（ｂ）に示すように、給紙ローラ１とリタードローラ２の間に噛み込まれた用紙Ａが１枚となって、リタードローラ２と用紙Ａ間の摩擦トルクが大きくなると、トルクリミッタ４が作用して、リタードローラ２が用紙の送給方向に従動回転するようになっている。
【００１５】
図３および図４に示すように、前記逆転機構は、第１の出力部材１１と第２の出力部材１２が同軸の固定軸１３の回りに回転するように配設され、これらの第１と第２の出力部材１１、１２とに互いに対向するように設けられた傘歯車１１ａ、１２ａの間に２つの遊星傘歯車１４が噛み合わされ、各遊星傘歯車１４が、固定軸１３と直交する直交軸部材１５の軸部１５ａに回転自在に支持されている。また、第１と第２の出力部材１１、１２の外径面には、それぞれ平歯車１１ｂ、１２ｂが設けられ、第１の出力部材１１の平歯車１１ｂには、駆動モータ３の出力軸３ａの平歯車３ｂが噛み合わされるとともに、給紙ローラ１の回転軸１ａの平歯車１ｂが噛み合わされ、第２の出力部材１２の平歯車１２ｂには、リタードローラ２の回転軸２ａの平歯車２ｂが噛み合わされている。
【００１６】
前記直交軸部材１５の中心部には、固定軸１３に旋回可能に外嵌される筒部１５ｂが設けられ、先端が筒部１５ｂの端面に凹凸部の嵌まり合いで連結された中間軸１６が、回転可能に固定軸１３に外嵌されるとともに第２の出力部材１２に内嵌されている。
【００１７】
前記中間軸１６の後端側は第２の出力部材１２の背面側に貫通し、第２の出力部材１２の背面側と、貫通した中間軸１６の後端側とに、軸方向で互いに隣接するように設けられた等径部の外径面にセレーション１２ｃ、１６ｃが設けられており、セレーション１２ｃ、１６ｃと係合するセレーション１７ｃが内径面に設けられ、第２の出力部材１２と中間軸１６の連結を入切するクラッチ手段としての連結リング１７が、これらの等径部にスライド可能に外嵌されている。連結リング１７は、第２の出力部材１２の背面側に設けられた凹部１２ｄに収納されたコイルばね１８で後方へ付勢され、定常状態では、第２の出力部材１２と中間軸１６のセレーション１２ｃ、１６ｃに跨って係合して、これらを連結するようになっている。
【００１８】
前記連結リング１７の先端側の外方には、ソレノイド１９のオン・オフによって半径方向に進退し、コイルばね１８で後方へ付勢された連結リング１７の先端側をテーパ面２０ａで前方へ押戻して、中間軸１６のセレーション１６ｃと連結リング１７のセレーション１７ｃとの係合を切り離す押戻し部材２０が配設されている。押戻し部材２０は圧縮コイルばね１９ａで半径方向内方の前進側へ付勢されており、ソレノイド１９をオンにすると磁気吸引力によって半径方向外方へ後退する。押戻し部材２０には、後述する中間軸１６の凹溝１６ｄに半径方向から差し込まれて、中間軸１６の回転を止めるブレーキ手段としての爪２０ｂも設けられている。
【００１９】
前記セレーション１６ｃが設けられた中間軸１６の等径部の後端側には、セレーション状に軸方向へ延びる複数の凹溝１６ｄが設けられ、前記押戻し部材２０が前進して、連結リング１７による第２の出力部材１２と中間軸１６の連結を切とするときに、押戻し部材２０の爪２０ｂが凹溝１６ｄに差し込まれて、中間軸１６の回転が止められるようになっている。
【００２０】
以下に、上述した逆転機構による給紙ローラ１とリタードローラ２への回転の伝達作用を説明する。図３に示したように、前記ソレノイド１９をオンにして、押戻し部材２０を半径方向外方へ後退させ、コイルばね１８で付勢された連結リング１７で第２の出力部材１２と中間軸１６を連結した定常状態では、第２の出力部材１２と中間軸１６が一体で回転するとともに、中間軸１６に連結された直交軸部材１５も一体で旋回し、直交軸部材１５に取り付けられた遊星傘歯車１４は自転せずに固定軸１３の回りを公転して、遊星傘歯車１４と傘歯車１１ａで噛み合う第１の出力部材１１も第２の出力部材１２および直交軸部材１５と一体で回転する。したがって、この定常状態では、第１の出力部材１１と第２の出力部材１２から、それぞれ平歯車１１ｂ、１ｂおよび平歯車１２ｂ、２ｂの噛み合いによって、給紙ローラ１とリタードローラ２とに同方向の回転が伝達され、図２（ａ）、（ｂ）に示したように、用紙Ａが１枚ずつ送給方向へ給紙される。
【００２１】
前記給紙ローラ１とリタードローラ２の間で紙詰まりが生じたときは駆動モータ３を停止し、図５に示すように、前記ソレノイド１９をオフにして、押戻し部材２０を半径方向内方へ前進させ、連結リング１７による第２の出力部材１２と中間軸１６の連結を切にするとともに、押戻し部材２０の爪２０ｂで中間軸１６の回転を止める。このときは、第１の出力部材１１と第２の出力部材１２が別々に回転するとともに、中間軸１６に連結された直交軸部材１５が旋回せずに、遊星傘歯車１４はその軸部１５ａの回りを自転し、この遊星傘歯車１４の自転によって、第１の出力部材１１と第２の出力部材１２が逆方向に回転し、給紙ローラ１とリタードローラ２も逆方向に回転する。したがって、図２（ａ）、（ｂ）に示した用紙Ａの送給方向または戻し方向へ紙詰まりした用紙Ａを引き抜くときに、リタードローラ２は引き抜きの抵抗とならず、紙詰まりした用紙Ａを破断させることなく小さな引抜力で容易に除去することができる。
【００２２】
上述した実施形態では、逆転機構の直交軸部材に取り付ける遊星傘歯車の個数を２個としたが、遊星傘歯車の個数は１個または３個以上とすることもできる。
【図面の簡単な説明】
【００２３】
【図１】給紙用紙さばき装置の実施形態を示す縦断面図
【図２】ａ、ｂは、それぞれ図１のII−II線に沿った断面図
【図３】図１の逆転機構を示す縦断面図
【図４】図３の回転伝達部の分解斜視図
【図５】図３の第１と第２の出力部材を逆方向に回転させる状態を示す縦断面図
【符号の説明】
【００２４】
１  給紙ローラ
２  リタードローラ
１ａ、２ａ  回転軸
１ｂ、２ｂ  平歯車
３  駆動モータ
３ａ  出力軸
３ｂ  平歯車
４  トルクリミッタ
１１  第１の出力部材
１２  第２の出力部材
１１ａ、１２ａ  傘歯車
１１ｂ、１２ｂ  平歯車
１２ｃ  セレーション
１３  固定軸
１４  遊星傘歯車
１５  直交軸部材
１５ａ  軸部
１５ｂ  筒部
１６  中間軸
１６ｃ  セレーション
１６ｄ  凹溝
１７  連結リング
１７ｃ  セレーション
１８  コイルばね
１９  ソレノイド
１９ａ  コイルばね
２０  押戻し部材
２０ａ  テーパ面
２０ｂ  爪
【図１】
2008007316.tif 000003
【図２】
2008007316.tif 000004
【図３】
2008007316.tif 000005
【図４】
2008007316.tif 000006
【図５】
2008007316.tif 000007